(57)【要約】【課題】  歯科用補綴物のための歯科用インプラントを提供する。【解決手段】  このインプラントは外部表面、遠位端、及び近位端を持つ本体を含むことができる。歯科用インプラントは本体の外部表面の少なくとも一部分に設けられた少なくとも一つのねじ山を含むことができる。このねじ山は近位フランク及び遠位フランクを含むことができる。ねじ山はまた、近位フランクと遠位フランクの間に延びる面を含むことができる。さらに、歯科用インプラントは面上に形成された第一螺旋溝及び／または本体上に形成された第二螺旋溝を含むことができる。【選択図】  図１Ａ
2010524607.tif 000002
【特許請求の範囲】
【請求項１】
歯科用補綴物を支持するための歯科用インプラントであって：
外部表面、遠位端、及び近位端を含む本体；
本体の外部表面の少なくともねじ付き部分に設けられた少なくとも一つのねじ山であって、近位フランクと遠位フランクを含み、さらに近位フランクと遠位フランクとの間に延びる面を含むねじ山；
螺旋パターンを持ち、ねじ山の面の少なくとも一部の上に形成されている第一の溝；及び
螺旋パターンを持ち、本体の少なくとも一部分の上に形成されている第二の溝；
を含むことを特徴とする歯科用インプラント。
【請求項２】
第一の溝が、連続していることを特徴とする請求項１に記載の歯科用インプラント。
【請求項３】
第一の溝が、一連のくぼみとして形成されていることを特徴とする請求項１に記載の歯科用インプラント。
【請求項４】
第二の溝が、連続していることを特徴とする請求項１に記載の歯科用インプラント。
【請求項５】
本体がさらに、外部表面のねじ付き部分の上に設けられたカラーを含むことを特徴とする請求項１に記載の歯科用インプラント。
【請求項６】
第一の螺旋溝が、ねじ付き部分の近位端から１０％〜８０％に渡って延びることを特徴とする請求項５に記載の歯科用インプラント。
【請求項７】
第一の螺旋溝が、ねじ付き部分の近位端から２０％〜５０％に渡って延びることを特徴とする請求項５に記載の歯科用インプラント。
【請求項８】
第二の螺旋溝が、ねじ付き部分の遠位端から１０％〜１００％に渡って延びることを特徴とする請求項５に記載の歯科用インプラント。
【請求項９】
第二の螺旋溝が、ねじ付き部分の遠位端から５０％〜８０％に渡って延びることを特徴とする請求項５に記載の歯科用インプラント。
【請求項１０】
本体の少なくとも一部分が、第一の螺旋溝と第二の螺旋溝の両方を含むことを特徴とする請求項１に記載の歯科用インプラント。
【請求項１１】
本体の実質的に全てが、第一の螺旋溝と第二の螺旋溝のうちの一つのみを含むことを特徴とする請求項１に記載の歯科用インプラント。
【請求項１２】
歯科用インプラントがさらに、インプラント上に設けられた少なくとも一つのフルートを含むことを特徴とする請求項１に記載の歯科用インプラント。
【請求項１３】
カラーが、カラーの外部表面上に設けられた少なくとも一つの円周溝を含むことを特徴とする請求項１に記載の歯科用インプラント。
【請求項１４】
歯科用補綴物を支持するための歯科用インプラントであって：
外部表面、遠位本体部分、及び近位本体部分を含む本体；
遠位本体部分に渡って延びる遠位ねじ付き部分、及び近位本体部分に渡って延びる近位ねじ付き部分を含む少なくとも一つのねじ山であって、近位フランクと遠位フランクを含み、さらに近位フランクと遠位フランクとの間に延びる面を含み、この面が遠位本体部分から近位本体部分まで厚さが増大するもの；及び
近位ねじ付き部分の少なくとも一部分の面の上に設けられた溝；
を含むことを特徴とする歯科用インプラント。
【請求項１５】
面が第一円錐角を規定し、本体が第二円錐角を規定し、第一円錐角が第二円錐角と異なることを特徴とする請求項１４に記載の歯科用インプラント。
【請求項１６】
第二円錐角が第一円錐角より小さいことを特徴とする請求項１５に記載の歯科用インプラント。
【請求項１７】
歯科用インプラントがさらに、インプラント上に設けられた少なくとも一つのフルートを含むことを特徴とする請求項１４に記載の歯科用インプラント。
【請求項１８】
フルートが、歯科用インプラントが時計方向及び反時計方向の一方で回転されるときに骨を切削するように構成されていることを特徴とする請求項１７に記載の歯科用インプラント。
【請求項１９】
歯科用インプラントがさらに、少なくとも部分的に近位本体部分内に設けられた空洞を含み、この空洞が、歯科用インプラントの近位端に向けて開放されかつアバットメントを取付けるように構成されていることを特徴とする請求項１４に記載の歯科用インプラント。
【請求項２０】
歯科用インプラントがさらに、アバットメントを取付けるように構成された外部構造を含むことを特徴とする請求項１４に記載の歯科用インプラント。
【請求項２１】
歯科用インプラントがさらに、本体と一体化されたアバットメントを含むことを特徴とする請求項１４に記載の歯科用インプラント。
【発明の詳細な説明】
【技術分野】
【０００１】
本発明は一般的に、歯科用インプラントに関し、より詳細にはねじ付き歯科用インプラントに関する。
【背景技術】
【０００２】
インプラント歯科学は、人工要素を使用する患者の口内の一つ以上の歯の修復を含む。かかる人工要素は典型的には、歯科用インプラント及び補綴歯及び／または歯科用インプラントに固定されるアバットメントを含む。一般的に、歯を修復するための方法は三段階で実行される。
【０００３】
歯科用インプラントは典型的には純チタンまたはチタン合金から作られる。歯科用インプラントは典型的には本体部分及びカラーを含む。本体部分は、歯槽骨中に延びかつそれとオッセオインテグレートするように構成されている。カラーの上部表面は典型的には顎骨の稜と同一平面に置かれる。アバットメント（例えば最終アバットメント）は典型的には、上部表面上に置かれ、歯槽骨の上にある軟組織を通って延びる。最近、幾つかの歯科用インプラントは、顎骨の稜の上にかつ軟組織を通って延びるカラーを持つ。
【０００４】
種々の先細りの及び種々のねじ山輪郭を持つインプラントが従来から知られている。例えば、米国特許第５４２７５２７号は円錐形インプラント設計を記載し、それはインプラントの冠状面、すなわちその最も幅広の端部に骨圧縮を誘発するために円筒状骨切り部位中に置かれる。他のねじ山輪郭及びパターンが従来から知られている。最も一般的な設計は米国特許第５８９７３１９号に示されたような対称的なＶ形状外観を含む。可変ねじ山輪郭は米国特許第５４３５７２３号及び第５５２７１８３号に開示され、それは咬合負荷下の応力伝達に対し数学的に最適化されている。米国特許第３７９７１１３号及び第３８４９８８７号は、インプラントの冠状端に面する平坦架を持つ雄ねじ状特徴を持つ歯科用インプラントを記載する。
【０００５】
かかる従来技術の歯科用インプラントは成功したけれども、歯槽骨とオッセオインテグレートする歯科用インプラントの能力を改良し、かつ歯槽骨内の歯科用インプラントの安定性を改良するための継続的な希望がある。
【発明の概要】
【発明が解決しようとする課題】
【０００６】
ここに開示された実施態様は、本体を含む歯科用補綴物を支持するための歯科用インプラントである。この本体は外部表面、遠位端、及び近位端を含むことができる。歯科用インプラントはまた、本体の外部表面の少なくとも一部分に設けられた少なくとも一つのねじ山を含むことができる。ねじ山は近位フランク及び遠位フランクを含むことができる。ねじ山はまた、近位フランクと遠位フランクの間に延びる面を含むことができる。歯科用インプラントはまた、面上に形成された第一螺旋溝及び本体上に形成された第二螺旋溝を含むことができる。
【０００７】
別の実施態様は、本体を含む歯科用補綴物を支持するための歯科用インプラントである。この本体は外部表面、遠位本体部分、及び近位本体部分を含むことができる。歯科用インプラントはまた、少なくとも一つのねじ山を含むことができる。ねじ山は遠位本体部分の上に延びる遠位ねじ山部分及び近位本体部分の上に延びる近位ねじ山部分を含むことができる。ねじ山は近位フランク及び遠位フランクを含むことができる。ねじ山はさらに、近位フランクと遠位フランクの間に延びる面を含むことができ、そこで面は遠位ねじ山部分から近位ねじ山部分まで厚さを増大する。歯科用インプラントはまた、近位ねじ山部分の少なくとも一部分の面の上に設けられた溝を含むことができる。
【０００８】
本発明のさらなる実施態様は従属請求項により規定される。本発明のこれらの及び他の実施態様は、添付図面を参照した好適実施態様の以下の詳細な説明から当業者には容易に明らかとなるであろう。本発明は開示されたいかなる特定の好適実施態様にも限定されない。
【図面の簡単な説明】
【０００９】
ここに開示された本発明の上述の及び他の特徴は好適実施態様の図面を参照して以下に説明される。図示された実施態様は説明することを意図しており、本発明を限定することを意図しない。図面は以下の図を含む。
【００１０】
【図１Ａ】図１Ａは、本発明の一実施態様による歯科用インプラントの側面図である。
【００１１】
【図１Ｂ】図１Ｂは、図１Ａの歯科用インプラントの透視図である。
【００１２】
【図１Ｃ】図１Ｃは、図１Ａの歯科用インプラントの平面図である。
【００１３】
【図１Ｄ】図１Ｄは、図１Ａの歯科用インプラントの断面側面図である。
【００１４】
【図２Ａ】図２Ａは、図１Ａのインプラントとかみ合うように構成されたアバットメントの一実施態様の透視図である。
【００１５】
【図２Ｂ】図２Ｂは、図２Ａのアバットメントの断面側面図である。
【００１６】
【図３Ａ】図３Ａは、図１Ａのインプラント及び図２Ａのアバットメントとかみ合うように構成された結合ボルトの一実施態様の側面図である。
【００１７】
【図３Ｂ】図３Ｂは、図３Ａの結合ボルトの平面図である。
【００１８】
【図４】図４は、図３Ａの結合ボルトとともに取付けられた図１Ａのインプラント及び図２Ａのアバットメントの断面側面図である。
【００１９】
【図５】図５は、歯科用インプラントの別の実施態様の側面図である。
【００２０】
【図６】図６は、歯科用インプラントのさらに別の実施態様の側面図である。
【発明を実施するための形態】
【００２１】
図１Ａ−１Ｄは歯科用インプラント２０の一実施態様を示す。この実施態様では、インプラント２０は、下方部分３４及びカラー３６を含むインプラント本体３２を含む。インプラント２０はチタンから作られることができるが、種々のタイプのセラミックスのような他の材料も使用されることができる。下方部分３４は、先細りであることができ、かつ下方部分３４の外部表面３５上に設けられた一対のねじ山３８を含むことができる。以下に説明されるように、図示された実施態様は一対のねじ山３８を含み、それらのそれぞれはインプラントの周りに螺旋状に延びるが、変更された実施態様はより多いまたはより少ないねじ山を含むことができる。加えて、以下に説明されるように、本体３２は略円錐形または先細りであるものとして図示されている。しかし、他の実施態様では、本体３２は実質的に円筒状またはその他の形状であることができる。歯科用インプラント２０は近位端２２、近位端２２に略隣接した近位部分２６、遠位端２４及び遠位端に略隣接した遠位部分２８を含むことができる。
【００２２】
図示された実施態様では、インプラント本体３２は外部表面または骨付着表面４０を含み、それはオッセオインテグレーションを促進するように構成されることができる。一実施態様では、骨付着表面４０は、本体３２の表面積を増やすことによりオッセオインテグレーションを促進するように構成されている。これに関して、骨付着表面４０は、例えば酸腐蝕、グリットブラスト、及び／または機械加工によるような幾つかの異なる態様でインプラント本体３２を粗面化することにより形成されることができる。これに代えて、骨付着表面４０は、オッセオインテグレーションを促進するために下方表面をある物質で被覆することにより形成されることができる。ある実施態様では、これはインプラント本体３２の表面積を減らしまたは増やすことをもたらすかもしれない。リン酸三カルシウム（ＴＣＰ）及びヒドロキシアパタイト（ＨＡ）のようなリン酸カルシウムセラミックスは、外部表面４０の化学的性質を変えることによりオッセオインテグレーションを強化することができる物質の例である。他の実施態様では、外部表面２８は、オッセオインテグレーションを促進するように構成される、例えばねじ山、マイクロねじ山、凹み、及び／または溝のような巨視的な構造を含むことができ、単独でまたは粗面化及び／または上述の被覆と組合せて使用されることができる。一実施態様では、外部表面２８は低マイクロメートル範囲の開放細孔を持つ高度に結晶性のかつリン酸塩濃縮酸化チタンマイクロ構造表面のようなマイクロ構造表面を含む。かかる表面の例はＮｏｂｅｌ  Ｂｉｏｃａｒｅ  ＡＢ（商標）により商標ＴｉＵｎｉｔｅ（商標）下に販売されている。別の実施態様では、マイクロ構造表面を提供するためにジルコニウムセラミック本体を多孔性ジルコニウムで被覆することができることは特に有利である。別の実施態様では、マイクロ構造表面は、オッセオインテグレーションを促進するように構成された物質（例えばＢＭＰ）で被覆されることができる。
【００２３】
続けて図１Ａを参照すると、カラー３６は、下方部分３４の上に位置することができ、図示された実施態様において、下方部分３４と一体的に形成されるかまたはそれに永久的に固定されることができる。カラー３６は少なくとも部分的に側壁４４により規定されることができる。図示された実施態様では、側壁４４は、カラー３６の側壁４４の周りに円周状に配置された二つの半円形溝４６を含む。半円形溝４６は、患者の歯茎の軟組織のような軟組織のための追加の成長表面を提供することができる。一実施態様では、半円形溝４６は約１５０ミクロンの幅と約５０ミクロンの深さを持つ。溝４６は、一つ以上の溝４６がカラー３６の実質的な部分を占めるような寸法であることができる。図１Ａの図示された実施態様では、二つの溝４６はカラー３６の実質的な部分（例えば全面積の５０％より大きい）を占めるものとして示されている。変更された実施態様では、カラー３６はより多いもしくはより少ない溝を備えるか、または溝を備えないことができ及び／または異なる寸法と形状を持つ溝を備えることができる。他の実施態様では、カラー３６上に円周突起またはマイクロねじ山が設けられることができる。一般的に、カラー３６上のかかる構造は有利には、より硬い皮質骨に装着されるように構成されており、この皮質骨を通してインプラント２０は挿入されるが皮質骨の下に位置する海綿状格子状骨と係合するように構成されることができるインプラント２０のねじ山３８と比べたときにより少ない範囲まで挿入される。他の実施態様では、カラー３６は、例えば内向きに先細りとなったまたは逆先細りの側壁を持つ非円筒形状であることができる。
【００２４】
図１Ａ−１Ｄに示された実施態様では、ねじ山３８のそれぞれは、面５８により連結された遠位フランク５４と近位フランク５６を含む。上述のように図示された歯科用インプラント２０は一対のねじ山３８を含み、それは遠位端２４の対向側面で始まり、かつインプラント本体３２の下方部分３４に沿って対向位置を維持しながら下方部分３４に沿って近位端２２に向けて前進する。従って、図示された実施態様では、ねじ山３８のそれぞれは同じピッチを持つ。図示された実施態様は二つのねじ山３８を示すが、一つまたは三つのような他の適当な数のねじ山もまた使用されることができることが認識されるであろう。
【００２５】
図１Ｄで最良に見られるように、図示された実施態様では、ねじ山３８のそれぞれの面５８は、ねじ山３８が歯科用インプラント２０の遠位端２４から近位端２２に進むにつれて厚さＴを増大する。すなわち、インプラント２０の遠位部分２８のねじ山３８の遠位部分はインプラント２０の近位部分２６のねじ山３８の近位部分より薄い面を含む。
【００２６】
インプラント本体３２は少なくとも三つの異なる角度を規定することができる：第一角度はインプラント本体３２の一般形状により規定されることができ；第二角度はねじ山３８の面５８により規定されることができ；そして第三角度はねじ山のベースにより規定されることができる。同様な原理はＰＣＴ出願ＰＣＴ／ＩＬ２００４／０００４３８号（国際公開２００４／１０３２０２号）で見ることができ、その全体が参考までにここに組込まれる。図１Ａと１Ｄを参照すると、インプラント本体３２の下方部分３４の円錐形形状は可変角度を含むことができる。可変角度は、遠位部分２８の角度が近位部分２６の角度より小さいように変わることができる。さらに、ねじ山３８の面５８はまた、円錐形であることができ、ねじ山３８の面５８は変化する円錐角を規定することができる。ねじ山３８の面５８により規定される角度は、インプラント本体３２の下方部分３４により形成される変化する円錐角とは異なることができる。すなわち、インプラント本体３２の下方部分３４により規定される円錐角は、ねじ山３８の面５８により形成される円錐角より小さくすることができる。一実施態様では、インプラント本体３２の下方部分３４により規定される円錐角はねじ山３８の面５８により形成される円錐角より大きくすることができる。図示された実施態様は前述の円錐角の関係を利用するけれども、他の好適な関係が使用されることができる。かかる好適な関係は、面５８が円錐形でなく、略円筒形形状を規定する及び／またはねじ山３８の面５８がインプラント本体３２の下方部分３４の円錐角と密接に合致する円錐角を規定するねじ山３８を含むことができる。さらに他の実施態様では、ねじ山３８の面５８により規定される角度及び／または本体３２により規定される角度は、それらが実質的に円筒状であるようにインプラント２０の縦軸に略平行であることができる。
【００２７】
図１Ａと１Ｂを参照すると、図示された実施態様では、歯科用インプラント２０の下方部分３４は、歯科用インプラント２０の遠位部分２８に配置された二つのフルート４８を含む。フルート４８は、歯科用インプラント２０を挿入するのを助けるように構成されており、以下により詳細に説明されるであろう。下方部分３４はまた、歯科用インプラント２０の近位部分２６において一対のねじ山のそれぞれの面５８上に設けられた上部溝５０を含む。インプラントの遠位部分２８において、下部溝５２が歯科用インプラント２０の遠位部分２８上の表面３５上のねじ山３８のそれぞれの間に設けられている。一般的に、溝５０，５２は略螺旋パターンで延びる。図示された実施態様では、各溝５０，５２は実質的に連続している。しかし、変更された実施態様では、一方のまたは両方の溝５０，５２は非連続であるように形成されることができる。例えば、溝５０，５２は、一緒に略螺旋パターンを形成する一連の短い溝、くぼみ、または凹みから形成されることができる。しかし、連続溝は骨付着を有利に促進することができ、成長につれ、それは骨組織が連続溝に沿って成長するように観察された。
【００２８】
図１Ａと１Ｂを参照すると、フルート４８は略螺旋形状を含むことができる。さらに、フルート４８は遠位端２４から歯科用インプラント２０の略中心部分に向けて延びることができる。フルート４８はインプラント本体３２の下方部分３４に沿って略対向位置に設けられることができる。図示された実施態様では、フルート４８は、歯科用インプラント２０が反時計方向に回転されるときに骨を切断または除去するように構成されている。さらに、フルート４８は、歯科用インプラント２０が骨を切断または除去することなく時計方向に回転されることを可能にするように構成されている。しかし、骨除去は、インプラントを反時計方向に回転することにより達成されることができる。
【００２９】
歯科用インプラント２０の図示された実施態様は、歯科用インプラント２０が反時計方向に回転されるときに切断するように構成されているフルート４８を伴なって示されているが、他の好適なフルートまたはフルート配向もまた使用されることができる。かかる好適なフルートまたはフルート配向は、歯科用インプラント２０が時計方向に回転されるときに切断したりまたはタッピング機能を提供するように構成されているフルートを含むことができる。
【００３０】
連続して図１Ａと１Ｂを参照すると、上部溝５０及び下部溝５２は、例えばオッセオインテグレーションのための追加の表面を提供するために歯科用インプラント２０上に設けられる。上部溝５０は、歯科用インプラント２０の近位部分２６上に設けられたねじ山３８の部分の面５８上に設けられることができる。上部溝５０は、下方部分３４の近位端２２で始まることができ、下方部分３４の長さの少なくとも約３７％に渡ってねじ山３８の面５８に沿って遠位端２４に向けて延びることができる。図示された実施態様では、上部溝５０はインプラント２０の遠位端２４に向けて消散され及び／または先細りとなる。上部溝の消散及び／または先細りは略インプラント２０の約１／４−１／２回転内の距離に渡って起こることができる。ある実施態様では、消散及び／または先細りを越えた面５８の部分は上部溝５０を含まないであろう。図１Ａの図示された実施態様は、上部溝５０が近位端から下方部分３４の長さの約３７％に沿って延びることができることを示すが、他の実施態様では、上部溝５０は下方部分３４の近位端から約１０％〜８０％に沿って延びるように形成されることができ、他の実施態様では上部溝５０は下方部分３４の近位端から約２０％〜５０％に沿って延びることができる。
【００３１】
下部溝５２は、歯科用インプラント２０の遠位端２４で始まることができ、かつインプラント本体３２の下方部分３４の外部表面３５上の一対のねじ山３８間に形成されることができる。下部溝５２は、図示された実施態様では、下方部分３４の遠位端から約７５％に渡ってインプラント２０の近位端２２に向けて延びることができる。外部表面３５は、下部溝５２がインプラント２０の近位端２２に向けて消散し及び／または先細りとなるように形成されることができる。下部溝５２の消散及び／または先細りはインプラント２０の約１／４−１／２回転内の距離に渡って発生することができる。ある実施態様では、消散及び／または先細りを越えるねじ山間の外部表面３５の部分は下部溝５２を含まないであろう。図示された実施態様は、下部溝５２が歯科用インプラント２０の下方部分３４の遠位端から約７５％に沿って延びることができることを示すが、他の実施態様では、下部溝５２は下方部分３４の遠位端から１０％〜１００％に渡って延びることができ、さらに他の実施態様では、下方部分３４の遠位端から５０％〜８０％に渡って延びることができる。
【００３２】
図示された実施態様では、下部溝５２及び上部溝５０の構成は、インプラント本体３２の下方部分３４の少なくとも一部分に沿って重なる上部と下部溝５０，５２をもたらすことができる。すなわち、図示された実施態様では、上部と下部溝５０，５２の両方を含むインプラント本体３２の下方部分３４の一部分がある。図示された実施態様は、上部溝５０と下部溝５２が重なることを示すが、他の実施態様では上部溝５０と下部溝５２は重複せず及び／または上部と下部溝５０，５２間の会合点でまたは上部と下部溝５０，５２間の会合点の前で終了することができる。
【００３３】
上部と下部溝５０，５２は、上部及び／または下部溝５０，５２がねじ山３８間の下方部分３４の外部表面３５または面５８の一部分のみを占めるような寸法であることができる。他の実施態様では、上部及び／または下部溝５０，５２は、それらが面５８の実質的に全てを及び／またはねじ山３８間の外部表面３５の一部分の実質的に全てを占めるような寸法であることができる。
【００３４】
追加的にまたは代替的に、上部及び下部溝５０，５２はねじ山３８の上部及び下部フランク５６，５４上に形成されることができる。
【００３５】
図１Ｃと１Ｄに最良に見ることができるように、歯科用インプラント２０はまた、歯科用インプラント２０の近位端２２で開口している空洞または内部連結界面６６を含むことができる。図示された実施態様では、空洞６６は円錐形室６８、六角形インターロック凹所７４及びねじ付き室７０を含む。円錐形室６８及びインターロック凹所７４は、アバットメントを受けるように構成されることができ、ねじ付き室７０は結合ねじを受けるように構成されることができる。
【００３６】
ねじ付き室７０は、一般的にアバットメント室６８の下に設けられることができる。上述したように、ねじ付き室７０は、アバットメントをインプラント２０に取付けるように構成された結合ねじ（図示せず）を受けるように構成されることができる。
【００３７】
図１Ａ−１Ｄに示された特別な実施態様は円錐形形状の内壁８０及び一般的に六角形形状のインターロック凹所７４を持って示されているが、他の好適な形状及び様式の凹所（例えば正方形、丸くない形状、及び他の形状）が使用されることができる。さらに、歯科用インプラント２０のある実施態様は空洞６６を全て一緒に省略することができ、外部結合装置（例えば外部六角形）及び／または一体的に形成されたアバットメントを使用することができる。それらは図５Ａと６Ａを参照してより詳細に説明されるであろう。図示された実施態様に関して、空洞６６の追加の詳細及び変更された実施態様は、「歯科用インプラント及び歯科用要素連結」と題する、代理人書類整理番号ＮＯＢＥＬＢ．２６５Ａの下にこの出願と同じ日付で出願された本出願人の同時係属出願中に見出されることができ、その全体が参考までにここに組込まれる。
【００３８】
図示されたソケット６６は有利には、インプラント２０が多くのタイプの歯科用要素とかみ合うことができるように強化された連結界面を提供しかつ柔軟性を提供するように構成されている。特に、上述のように、円錐形部分６８は、ソケット６６のための幅広の初期開口を与えるインプラント２０の縦軸Ｌに対して内向きに先細りとなる側壁を含む。図１Ｃを参照すると、円錐形室６８の特別な形態は縦軸Ｌに対して円錐半角αを構成する。一実施態様では、円錐半角は約１０度〜約２０度である。すなわち、内壁８０と縦方向中心線Ｌとの間の角度は好ましくは約１０度〜約２０度である。一実施態様では、この円錐半角は約１２度である。
【００３９】
一実施態様では、円錐形部分６８の長さ（ｄ１）とインターロック凹所７４の長さ（ｄ２）の間の比は約１：１である。一実施態様では、円錐形部分６８の深さ（ｄ１）は少なくとも約１ｍｍであり、インターロック凹所７４の深さ（ｄ２）は少なくとも約１ｍｍである。図１Ｄに示すように、円錐形部分６８の長さ（ｄ１）はインプラント２０の上部表面２１から円錐形部分６８の先細り表面８０が終わるソケット６６の部分までの垂直方向に測定した距離である。インターロック凹所７４の長さ（ｄ２）は円錐形部分６８の端部からインターロック凹所７４の端部までの垂直方向に測定される。円錐形部分６８の深さ及び長さとインターロック凹所７４の深さ及び長さとの比は有利には、効果的な封止を提供するのに十分に長い先細り連結の利益を、インプラントが患者に埋設されるときに十分な駆動トルクがインプラント２０に伝達されることができるような十分に長いインターロック凹所７４と組合せる。
【００４０】
図示された実施態様のさらに別の利点は、インプラント２０の実質的に平坦な上部表面２１の面積または厚さである。一実施態様では、インプラント２０の上部表面２１は有利には、インプラント２０の上部表面２１の上に特定の歯科用修復物を支持するための表面を提供することができる。追加的にまたは代替的に、上部表面２１は、インターロック凹所７４を迂回する要素を支持するために使用されることができる。従って、一実施態様では、インプラント２０の上部表面２１は、上部表面２１の外周と内周の間で測定したときに少なくとも０．２ｍｍより大きく、別の実施態様では約０．２５ｍｍより大きい厚さを少なくとも持つ。一実施態様では、上部表面２１の厚さは約０．２５ｍｍである。
【００４１】
上述の実施態様は、歯槽骨内に埋入されたときの歯科用インプラントの改善された安定性を提供する。さらに、本発明のある実施態様は空間の効率的な利用を提供する。例えば、上述のように、ある実施態様では、上部溝５０は、内部連結界面６６を含む本体３２の部分のねじ山３８の面５８上に設けられる。従って、この場所のインプラント２０の本体の強度は影響を受けないままである。もし上部溝５０がこの部分の本体３２上に設けられるなら、本体強度を維持するための特別な寸法の最小壁厚を維持することにより、より少ない空間が内部連結界面６６のために利用可能になるであろう。従って、内部連結界面６６の部分の面５８に配置された上部溝５０を持つと、連結界面６６のために利用可能な空間を改善し、さらにインプラント２０の改善された安定性を提供する。ある実施態様では、壁厚は、もし上部溝５０がインターロック凹所７４の部分のみの面５８に設けられ、しかも少なくとも部分的にねじ付き室７０の場所でないなら、十分であるであろう。
【００４２】
内部連結界面６６を含まない本体３２の部分に、下部溝５２が本体３２上に設けられることができる。図示された実施態様のインプラント２０はこの部分にいずれの内部凹所６６も含まないので、これはインプラント２０の強度を実質的に劣化しないであろう。これは、この場所に可変ねじ山厚のようなねじ山３８のより薄い面を持つという選択肢を提供し、それはインプラント２０のさらなる改善された安定性を提供することができる。従って、溝５０，５２の場所はそれら自身で並びにそれらの特定の場所で安定性を提供する。加えて、強度を妥協することなく利用可能な空間の効率的な利用が提供される。溝５０，５２のための場所は内部連結界面６６または外部連結界面（以下に述べる）のいずれかを持つインプラント上で使用されることができるので、場所はまた、柔軟性を提供する。
【００４３】
図２Ａと２Ｂは、上述のインプラント２０とかみ合うように構成されたアバットメント１００の一実施態様を示す。以下に説明されるように、アバットメント１００は、例えばインプラント２０に取付けられるように構成されることができるヒーリングキャップ、印象用コーピング、暫間ヒーリングアバットメント、または最終アバットメントのような種々の歯科用要素の一例である。アバットメント１００及び他のかみ合い要素の図示された実施態様に関する及び変更された実施態様に関する追加の詳細は、「歯科用インプラント及び歯科用要素連結」と題する、代理人書類整理番号ＮＯＢＥＬＢ．２６５Ａの下にこの出願と同じ日付で出願された本出願人の同時継続出願中に見出されることができ、その全体が参考までにここに組込まれる。アバットメント１００は歯科用グレードのチタンから作られることができるが、種々のタイプのセラミックスのような他の好適な材料が使用されることができる。
【００４４】
図２Ａと２Ｂに見られるように、アバットメント１００は造形部分１０２、円錐形部分１０４、及びインターロック部分１０６を含むことができる。インターロック部分１０６は、歯科用インプラント２０のインターロック凹所７４内に嵌る寸法である略六角形形状を含む。アバットメント１００の特別な実施態様が略六角形のインターロック部分１０６を持って示されているが、他の好適な形状もまた使用されることができる。かかる好適な代替形状はインターロック凹所７４とかみ合いかつアバットメント１００の回転を妨げるように構成された他の形状を含むことができる。
【００４５】
続けて図２Ａと２Ｂを参照すると、円錐形部分１０４は、アバットメント室６８中に少なくとも部分的に挿入される及び／または歯科用インプラント２０の隅部７８の上部に載るように構成されている。円錐形部分１０４の上に、アバットメント１００は造形部分１０２を含み、それは図示された実施態様ではアバットメント１００が最終アバットメントであるように造形されている。造形部分１０２は暫間アバットメント、ヒーリングアバットメント等のようないずれかの望ましい形状に造形されることができることは認識されるべきである。前述の本出願人の同時係属出願中に記載のように、アバットメント１００の円錐形部分１０４はインプラントの上部表面と先細りまたは封止嵌合で係合することができる。
【００４６】
図２Ｂで最も良く見られるように、内孔１１０はアバットメント１００の中心を通って延びることができる。内孔１１０は第一及び第二領域１１２と１１４に分割されることができる。第一領域１１２は第二領域１１４の直径よりわずかに大きい直径を含むことができる。従って、第一及び第二領域１１２と１１４間に座部１１６が形成されることができる。この座部１１６は以下に述べられる結合部材２００（図３Ａ参照）を支持することができる。第二領域１１４は結合部材２００と接触するように構成される捕獲めねじ１１８を含むことができる。
【００４７】
図３Ａと３Ｂは、アバットメント１００をインプラント２０に機械的に結合するために使用されることができる結合部材２００の一実施態様を示す。結合部材２００はまた、歯科用グレードのチタン合金から作られることができるが、他の好適な材料も使用されることができる。結合部材２００はアバットメント１００の内孔１１０を通してインプラントの２０の空洞６６中に延びる寸法と形状を持つことができる。結合部材２００は、アバットメント１００の捕獲めねじ１１８と係合しかつインプラント２０のねじ付き室７０と係合するおねじ付き下方領域２０２を含むことができる。結合部材２００のねじ山２０４は捕獲ねじ山１１８と係合することができ、従って結合ねじ２００はアバットメント１００が患者の口中に移転されかつ持ち上げられるときに分離されることにならない。
【００４８】
結合部材またはねじ２００はまた、Ｎｏｂｅｌ  Ｂｉｏｃａｒｅ（商標）により提供されるＵｎｉｇｒｉｐ（登録商標）回転ツールを受けるように構成された形状の凹所２０６を含む。他の実施態様では、凹所２０６は、例えば結合ねじ２００をインプラント２０に設置またはそれから除去するために通常のＡｌｌｅｎ（登録商標）レンチのような六角形形状のツールの挿入を可能にするように構成された六角形のような異なる形状を持つことができる。
【００４９】
図４は、結合ねじ２００により歯科用インプラント２０に結合されたアバットメント１００を示す側面断面図である。図示されたように、アバットメント１００のインターロック部分１０６は、歯科用インプラント２０のインターロック凹所７４と整合され、その中に挿入される。さらに、アバットメント１００の円錐形部分１０４は歯科用インプラント２０の受け室６８中に挿入される。アバットメント１００は、インターロック部分１０６の下方端１０８がインターロック凹所７４の下方端７５と接触状態にあるように歯科用インプラント２０の空洞６６中に挿入されることができる。図４に示されるように、アバットメント１００がインプラント２０に結合されるとき、インプラント２０の上部表面２１は露出されたままであることができる。一実施態様では、露出された上部表面は少なくとも約０．２ｍｍの厚さＮを有し、一実施態様では約０．２５ｍｍの厚さを持つ。
【００５０】
続けて図４を参照すると、結合ねじ２００の下方ねじ付き領域２０２は、歯科用インプラント２０のねじ付き室７０と係合されることができ、結合ねじ２００の座部２１０はアバットメント１００の座部１１６に接触している。この結合ねじ２００とアバットメント１００及び歯科用インプラント２０との係合はそれによりアバットメント１００を歯科用インプラント２０に固定することができる。
【００５１】
上述の歯科用インプラント２０の実施態様は別個のアバットメント１００を受けるための空洞６６を伴なって示されたが、他の構成もまた使用されることができる。かかる代替または変更形状は図５に示される。
【００５２】
図５に示された歯科用インプラント２０′は、上述の歯科用インプラント２０と同じ一般形状及び構造を含むことができる。歯科用インプラント２０′は、カラー３６′と、ねじ山３８′をさらに含む下方部分３４′とを含むインプラント本体３２′を含む。インプラント２０′の実施態様と歯科用インプラント２０の実施態様との間の一つの差は、歯科用インプラント２０′が、アバットメント１００′とインプラント本体３２′が一つの連続片であるようにインプラント本体３２′と一体的に形成された一体化アバットメント１００′を含むことである。
【００５３】
図２Ａのアバットメント１００と同様に、一体的に形成されたアバットメント１００′はヒーリングキャップ、印象コーピング、暫間ヒーリングアバットメント、または最終アバットメントの形状のようないずれかの好適な形状に形成されることができる。アバットメント１００及びインプラント２０のように、インプラント２０′はチタンから作られるが、種々のタイプのセラミックスのような他の好適な材料もまた使用されることができる。
【００５４】
歯科用インプラントの別の代替実施態様が図６に示されている。歯科用インプラント２０″は、再び、歯科用インプラント２０と同じ一般的な形状及び構造を含むことができる。歯科用インプラント２０″はカラー３６″及び下方部分３４″を含むインプラント本体３２″を含む。ねじ山３８″が下方部分３４″に設けられている。インプラント２０″の実施態様と歯科用インプラント２０′の実施態様または歯科用インプラント２０の実施態様間の一つの差は、歯科用インプラント２０″がカラー３６″の上に延びかつインプラント２０″と一体的に形成されている六角形構造８８″を含むことである。六角形構造８８″は、インプラント挿入ツールを含む種々の異なる装置または種々のタイプのアバットメントとかみ合うように構成されている。歯科用インプラント２０″とかみ合うためのかかる好適なアバットメントは、六角形構造８８″を受けるための好適な凹所を含むことができるだろう。しかし、他の好適な連結方法が、アバットメントを歯科用インプラント２０″に取付けるために使用されることができる。
【００５５】
この発明は特定の好適な実施態様及び実施例で開示されたが、本発明は具体的に開示された実施態様を越えて他の代替実施態様及び／または本発明の使用及び明らかな変更及びそれらの均等物まで拡大されることは当業者により理解されるであろう。加えて、本発明のある数の変更例が示されかつ詳細に述べられたが、この発明の範囲内の他の変更例がこの開示に基づいて当業者には容易に明らかとなるであろう。また、実施態様の特定の特徴及び態様の種々の組合せまたは副組合せがなされることができかつ本発明の範囲内になお入ることができることは予想される。従って、開示された実施態様の種々の特徴及び態様が開示された発明の変化モードを実施するために互いに組合され、または置換されることができることは理解されるべきである。従って、ここに開示された本発明の範囲は、上述の特に開示された実施態様により限定されるべきでなく、請求項の正しい解釈によってのみ決定されるべきであることが意図されている。
【図１Ａ】
2010524607.tif 000003
【図１Ｂ】
2010524607.tif 000004
【図１Ｃ】
2010524607.tif 000005
【図１Ｄ】
2010524607.tif 000006
【図２Ａ】
2010524607.tif 000007
【図２Ｂ】
2010524607.tif 000008
【図３Ａ】
2010524607.tif 000009
【図３Ｂ】
2010524607.tif 000010
【図４】
2010524607.tif 000011
【図５】
2010524607.tif 000012
【図６】
2010524607.tif 000013
【国際調査報告】
2010524607.tif 000014
2010524607.tif 000015
2010524607.tif 000016
2010524607.tif 000017
2010524607.tif 000018